(57)【要約】      （修正有）【課題】背中部分を広い範囲にわたって簡単且つ確実に洗うことができるようにする身体洗浄具を提供する。【解決手段】合成樹脂製のネットで成形され、弾性膨出する球状に形成したボール体と、同様に成形され、弾性膨出するフリル体３とから構成され、四個の第一のボール体２ａを環状に連結して大リング体４を形成すると共に第二のボール体２ｂを大リング体４の径方向に沿って大リング体４に連結し、第二のボール体２ｂと大リング体４との連結部に夫々フリル体３を連結し、更に第二のボール体２ｂと直交する径線に位置する大リング体４の第一のボール体２ａの連結部分に、引っ掛け紐５を夫々外方に延出する形態で付着した構成である。【選択図】図５
0003194457.tif 000002
【実用新案登録請求の範囲】
【請求項１】
合成樹脂製のネットで成形される長尺な蛇腹形状の第一の筒体（６）を軸方向に沿って縮めて折り重ねることにより第一のリング（７）を構成すると共に、該第一のリング（７）の両端部を夫々緊締して弾性膨出する球状に形成する複数のボール体（２）と、
合成樹脂製のネットで成形される比較的短尺な蛇腹形状の第二の筒体（１０）を軸方向に沿って縮めて折り重ねることにより第二のリング（１１）を構成すると共に、該第二のリング（１１）を径方向に緊締して弾性膨出するフリル体（３）とから構成され、
複数の前記ボール体（２）を環状に連結して大リング体（４）を形成し、前記大リング体（４）の径方向に対向するボール体（２）の連結部に夫々前記フリル体（３）を連結し、更に上記径方向と直交する径線に位置する前記大リング体（４）の前記ボール体（２）の連結部分に、引っ掛け紐（５）を夫々外方に延出する形態で付着したことを特徴とする身体洗浄具。
【請求項２】
合成樹脂製のネットで成形される長尺な蛇腹形状の第一の筒体（６）を軸方向に沿って縮めて折り重ねることにより第一のリング（７）を構成すると共に、該第一のリング（７）の両端部を夫々緊締して弾性膨出する球状に形成した複数の第一のボール体（２ａ）と第二のボール体（２ｂ）と、
合成樹脂製のネットで成形される比較的短尺な蛇腹形状の第二の筒体（１０）を軸方向に沿って縮めて折り重ねることにより第二のリング（１１）を構成すると共に、該第二のリング（１１）を径方向に緊締して弾性膨出するフリル体（３）とから構成され、
複数の前記第一のボール体（２ａ）を環状に連結して大リング体（４）を形成すると共に前記第二のボール体（２ｂ）を前記大リング体（４）の径方向に沿って該大リング体（４）に連結し、前記第二のボール体（２ｂ）と前記大リング体（４）との連結部に夫々前記フリル体（３）を連結し、更に前記第二のボール体（２ｂ）と直交する径線に位置する前記大リング体（４）の前記第一のボール体（２ａ）の連結部分に、引っ掛け紐（５）を夫々外方に延出する形態で付着したことを特徴とする身体洗浄具。
【考案の詳細な説明】
【技術分野】
【０００１】
本考案は、体を洗う洗浄具に関するものである。
【背景技術】
【０００２】
風呂で体を洗うものとして、旧来より手拭いやタオル、ネット状のボディタオル、ボディブラシ等、様々なものが用いられてきたが、特に背中を洗う場合、手拭いやタオルの両端を持ってしごくことになるために手拭い等は太い紐状となってしまい、石鹸を余分に使用しなければならず、また背中を広く洗えない不満があり、ボディブラシの場合は手が上がらないために確実に届かなかったり擦れない不満があった。
【０００３】
このため、背中を洗うための洗浄具として、以下の如き発明、考案の提案がなされている。
【先行技術文献】
【特許文献】
【０００４】
【特許文献１】特表２００１−５１６６０３号公報
【特許文献２】実用新案登録第３１５７４１３号公報
【考案の概要】
【考案が解決しようとする課題】
【０００５】
特許文献１の発明は、ネットをボール状に形成し、このボールを２個連結し、両端につなぎ紐を付着した構成で、つなぎ紐を持って背中に架け渡すものであるが、つなぎ紐を夫々引っ張って洗うことになるため、ボールも引き延ばされて扁平になってしまい、充分な膨らみが維持できないため及び２個のボールが分断されているために、特に背骨近傍での洗浄が確実に行えない欠点がある。
【０００６】
これに対して特許文献２の考案は、特許文献１の発明の欠点、不都合、不満を解消するべく開発された洗浄具であって、一対のボール体間にフリル体を一体に組み付け、ボール体に引っ掛け紐を付着させた構成で、ボール体部分で肩からわき腹にかけての背中を洗うことができるだけでなく、中央部の変形しないフリル体で背骨近傍を確実に洗うことができる等、特段の効果を奏するものではある。
【０００７】
しかしながらこの場合にあっても、一対のボール体は直線的に連結されているだけであるので、洗浄操作時に軸回転してしまい、背中の広い範囲にわたって洗うことができない憾みがあった。
【０００８】
よって本考案は、上述した従来技術の欠点、不都合、不満を解消するべく開発された身体洗浄具であって、背中部分を広い範囲にわたって簡単且つ確実に洗うことができるようにすることを目的とする。
【課題を解決するための手段】
【０００９】
上記課題を解決するため本考案の身体洗浄具は、合成樹脂製のネットで成形される長尺な蛇腹形状の第一の筒体を軸方向に沿って縮めて折り重ねることにより第一のリングを構成すると共に、この第一のリングの両端部を夫々緊締して弾性膨出する球状に形成する複数のボール体と、
合成樹脂製のネットで成形される比較的短尺な蛇腹形状の第二の筒体を軸方向に沿って縮めて折り重ねることにより第二のリングを構成すると共に、この第二のリングを径方向に緊締して弾性膨出するフリル体とから構成され、
複数の前記したボール体を環状に連結して大リング体を形成し、この大リング体の径方向に対向するボール体の連結部に夫々前記したフリル体（３）を連結し、更に上記した径方向と直交する径線に位置する大リング体のボール体の連結部分に、引っ掛け紐を夫々外方に延出する形態で付着したことを特徴とする。
【００１０】
また、合成樹脂製のネットで成形される長尺な蛇腹形状の第一の筒体を軸方向に沿って縮めて折り重ねることにより第一のリングを構成すると共に、この第一のリングの両端部を夫々緊締して弾性膨出する球状に形成した複数の第一のボール体と第二のボール体と、
合成樹脂製のネットで成形される比較的短尺な蛇腹形状の第二の筒体を軸方向に沿って縮めて折り重ねることにより第二のリングを構成すると共に、この第二のリングを径方向に緊締して弾性膨出するフリル体とから構成され、
複数の前記した第一のボール体を環状に連結して大リング体を形成すると共に前記した第二のボール体を前記大リング体の径方向に沿って大リング体に連結し、前記した第二のボール体と大リング体との連結部に夫々前記したフリル体を連結し、更に第二のボール体と直交する径線に位置する大リング体の第一のボール体の連結部分に、引っ掛け紐を夫々外方に延出する形態で付着したことを特徴とする。
【考案の効果】
【００１１】
上記した本考案にあって、ボール体はネットの長尺な蛇腹形状の第一の筒体を縮めて折り重ねた第一のリングの両端部を夫々緊締して構成されているので、ネットの弾性収縮力により中央が多数の蛇腹線による襞状に膨出した球状となり、外方に向かった径方向に両端から引っ張ることによりラグビーボールの如き楕円球の弾力性に富んだ形態となる。また、フリル体はネットの比較的短尺な蛇腹形状の第二の筒体を縮めて折り重ねたリングを径方向に緊締して構成されているので、ネットの弾性収縮力により多数の蛇腹線による襞状に膨出した球状となり、あたかも多数の花びら片を集合させた弾力性に富んだ形態となる。
【００１２】
そして複数の第一のボール体を連結して大リング体を形成すると共に第二のボール体を大リング体の径方向に沿ってこの大リング体に連結し、第二のボール体と大リング体との連結部に夫々したフリル体を連結した構成とすると、全体として、概略厚みのある円盤形状となり、第二のボール体と直交する径線に位置する大リング体の第一のボール体の連結部分に、引っ掛け紐を夫々外方に延出する形態で付着することにより、引っ掛け紐を夫々外方に引っ張ると上記円盤形状が概略菱形形状に弾性変形することになる。
【００１３】
従って、洗浄操作の際に両端の引っ掛け紐を把持して背中に回して引っ張ると、全体は前記したように菱形形状に弾性変形して平面的に伸びるが、フリル体は変形しない。
【００１４】
それ故、ボール体部分で肩からわき腹にかけての背中を広い範囲にわたって洗うことができるだけでなく、変形しないフリル体で背骨近傍を確実に洗うことができ、最小限の石鹸の塗布で済む等、本考案は多くの優れた作用効果を奏する。
【図面の簡単な説明】
【００１５】
【図１】部材の制作過程を示す説明図である。
【図２】完成した部材の組み付け前の配置図である。
【図３】部材の組み付け過程を示す説明図である。
【図４】部材の組み付け過程を示す説明図である。
【図５】完成状態を示す説明図である。
【考案を実施するための形態】
【００１６】
本考案の身体洗浄具１は、合成樹脂製のネットで成形される複数の第一のボール体２ａと第二のボール体２ｂと、合成樹脂製のネットで成形される二個のフリル体３とから構成され、複数のボール体２ａを環状に連結して大リング体４を形成すると共に第二のボール体２ｂを大リング体４の径方向に沿ってこの大リング体４に連結し、第二のボール体２ｂと大リング体４との連結部に夫々フリル体３を連結し、更に第二のボール体２ｂと直交する径線に位置する大リング体４のボール体２ａの連結部分に、引っ掛け紐５を夫々外方に延出する形態で付着した構成である。
【００１７】
ボール体２は、合成樹脂製のネットで成形される長尺な蛇腹形状の第一の筒体６を軸方向に沿って縮めて折り重ねることにより第一のリング７を構成すると共に、この第一のリング７の両端部を紐８を介して夫々緊締して弾性膨出する球状に形成したものであり、蛇腹線により多数の襞状の稜線９が形成される。
【００１８】
フリル体３は合成樹脂製のネットで成形される比較的短尺な蛇腹形状の第二の筒体１０を軸方向に沿って縮めて折り重ねることにより第二のリング１１を構成すると共に、この第二のリング１１を紐１２を介して径方向に緊締して形成するものである。
【実施例】
【００１９】
図１は制作過程を示すものであり、図１（ａ）はボール体２の原型である第一の筒体６である。この第一の筒体６は、例えばポリエチレン等の合成樹脂製のネットで成形され、ネットの収縮した通常の状態で好ましい長さは約３メートルにものぼる長尺で、周方向に沿って山折れ線と谷折れ線とを交互に設けた蛇腹線により多数の襞状の稜線９を形成し、この稜線９を折って第一の筒体６を軸方向に沿って縮めて折り重ねることにより第一のリング７を構成し、この第一のリング７の両端部を紐８を介して夫々緊締する（図１（ｂ）参照）。この緊締により、第一のリング７はネットの弾性収縮力により中央が多数の襞９となって膨出する球状に形成されることになる（図１（ｃ）参照）。尚、図１（ｄ）は、紐８部分で摘まんで矢視方向に拡げた形態を示す。
【００２０】
フリル体３の制作過程を表した図１（ｅ）は、第一の筒体６よりも比較的短尺な第二の筒体１０で、これを軸方向に沿って縮めて折り重ねることにより第二のリング１１を構成すると共に（図１（ｆ）参照）、この第二のリング１１を紐１２を介して径方向に緊締してフリル体３として形成するものである（図１（ｇ）参照）。
【００２１】
次に図２は完成したボール体２とフリル体３の組み付け前の配置を示すものであり、四個の第一のボール体２ａを環状に連結して大リング体４を形成すると共に（図３（ａ）参照）、第二のボール体２ｂを大リング体４の径方向に沿ってこの大リング体４に連結し（図３（ｂ）参照）、第二のボール体２ｂと大リング体４との連結部に夫々フリル体３を連結し（図４（ａ）（ｂ）参照）、更に第二のボール体２ｂと直交する径線に位置する大リング体４の第一のボール体２ａの連結部分に、引っ掛け紐５を夫々外方に延出する形態で付着し（図５（ａ）参照）、身体洗浄具１として完成するのである。尚、図５（ｂ）は両引っ掛け紐５を引っ張って身体洗浄具１を引き伸ばし変形させた状態を示すが、左右上下に充分の拡がりをなすので、背中洗いに極めて適したものとなる。
【００２２】
上記実施例では大リング体４を四個の第一のボール体２ａを環状に連結して形成したが、小径の第一のボール体２ａの多数をもって形成してもよいものである。また、第二のボール体２ｂは引っ掛け紐５の引っ張り方向とは直交して位置し、従って引っ張られても大きな変形はせず、身体洗浄具１を引き伸ばした際に軸芯として身体洗浄具１の拡がりを維持する。
【符号の説明】
【００２３】
１  身体洗浄具
２  ボール体
２ａ  第一のボール体
２ｂ  第二のボール体
３  フリル体
４  大リング体
５  引っ掛け紐
６  第一の筒体
７  第一のリング
８  紐
９  稜線
１０  第二の筒体
１１  第二のリング
１２  紐
【図１】
0003194457.tif 000003
【図２】
0003194457.tif 000004
【図３】
0003194457.tif 000005
【図４】
0003194457.tif 000006
【図５】
0003194457.tif 000007